(57)【要約】【課題】設置後の錆の発生を防止し得るとともに、型枠への設置固定を簡単かつ確実にする。【解決手段】弧状部１１を有する受け部１０と、該受け部のほぼ中央の下側に設けられた、取付部２０とを備え、取付部２０は、上部が受け部に固着され下部外面にネジ部２１ａが形成された支持棒２１と、支持棒の下方に連結部材２３を介して同心的に連結されるネジ棒２５と、ネジ棒２５の下端から螺着されるナット２７とからなる。連結部材２３は、その本体が合成樹脂等の非発錆材製で、型枠の上面に当接可能な底部２３ａを有し、支持棒のネジ部２１ａ及びネジ棒の上部２５ａがそれぞれ螺合する雌ネジ部２４を有する筒状体に形成される。ネジ棒２５は、型枠に形成した透孔を上方から挿通可能な棒状体に形成され、下端に、ネジ棒を回転させて連結部材から離脱させるための工具受け部２５ｃが形成されている。【選択図】        図１
2004183456.tif 000002
【特許請求の範囲】
【請求項１】
中空スラブ管を型枠の上方の所定の空間位置に支持固定するための支持具であって、下方に膨らむ弧状部を有する受け部と、該受け部のほぼ中央の下側に設けられた、型枠に対する取付部とを備え、
取付部は、上部が受け部に固着され下部外面にネジ部が形成された支持棒と、支持棒の下方に連結部材を介して同心的に連結されるネジ棒と、ネジ棒の下端から螺着されるナットとからなり、
連結部材は、少なくともその本体がモルタルや合成樹脂等の非発錆材製で、型枠の上面に当接可能な底部を有し、かつ支持棒のネジ部及びネジ棒の上部がそれぞれ螺合する雌ネジ部を有する筒状体に形成され、
ネジ棒は、型枠に形成した透孔を上方から挿通可能な棒状体に形成され、かつ下端に、ネジ棒を回転させて連結部材から離脱させるための工具受け部が形成されている、中空スラブ管の支持具。
【請求項２】
ネジ棒の工具受け部は、ネジ棒の下端中心に形成された、レンチが嵌入される穴部である、請求項１に記載の中空スラブ管の支持具。
【請求項３】
受け部の両側に、下端が水平方向に屈曲されたほぼ逆Ｕ字形の脚部が固着されており、該脚部の少なくとも下端には防錆処理が施されている、請求項２に記載の中空スラブ管の支持具。
【請求項４】
連結部材の雌ネジ部は、金属製の筒状部材として形成され、連結部材本体にインサート成形されており、かつ該筒状部材の下端は連結部材の底部よりも上方に位置している、請求項１〜３のいずれかに記載の中空スラブ管の支持具。
【発明の詳細な説明】
【０００１】
【発明の属する技術分野】
本発明は、中空スラブ管の支持具、詳しくはコンクリートの打設によって中空スラブを構築する中空スラブ工法に使用されるもので、中空スラブ管を型枠の上方の空間に支持固定するための支持具に関する。
【０００２】
【従来の技術】
橋梁、建築物等の建造物において、中空スラブ管を用いた中空スラブ工法が知られている。この工法は、鉄筋コンクリートの中空スラブを構築する際、鋼管等の中空スラブ管を床面を形成するための型枠の上方に支持固定した状態でコンクリートを打設し、コンクリートが固化した後、型枠をコンクリート面から剥がして除去することにより、中空スラブ管がコンクリートに埋め込まれた中空スラブを構築するものである。
【０００３】
このような中空スラブ工法に使用される中空スラブ管の支持具として、例えば、特許文献１に記載のものが知られている。特許文献１には、型枠の上方に中空スラブ管を支持する受台であって、中空スラブ管の外周下部に接する上向き弧状の受杆に、下方へ延びる脚杆を設け、この脚杆に、型枠を貫通したボルトにより型枠上面に固定される枠当具が螺合するようにしたことを特徴とする中空スラブ管の受台が記載されている。また、この受台を用いて、鉄筋コンクリートの中空スラブを構築するに際し、前記受台の脚杆に枠当具を螺合させてナットで締着し、この枠当具の底面が型枠上面に接するように前記受台を型枠の所定位置に置き、型枠に形成した貫通孔に下から上へボルトを貫通させ、このボルトを前記枠当具にねじ込んで受台を型枠に固定し、前記受台の受杆に中空スラブ管を載せ、中空スラブ管の外周上部に沿う締付部材の両端部を型枠又は前記受杆の両端部に連結し、この締付部材で中空スラブ管を受台に圧接して型枠に固定することを特徴とする中空スラブ管の固定方法が記載されている。
【０００４】
【特許文献１】
特開２０００−１６０５１１号公報
【０００５】
【発明が解決しようとする課題】
上記特許文献１に記載の中空スラブ管の受台によれば、型枠除去後に枠当具を除去してその凹部をモルタル等で埋めるか、枠当具の開口部に蓋をすることにより、受台の錆が防止される、という効果を奏する。しかし、この受台を型枠に固定する際、枠当具の底面が型枠上面に接するように前記受台を型枠の所定位置に置き、型枠に形成した貫通孔に下から上へボルトを貫通させ、このボルトを前記枠当具にねじ込んで受台を型枠に固定するという作業を必要とする。この作業、特に型枠の貫通孔に下から上へボルトを貫通させ、このボルトを枠当具にねじ込む作業が簡単ではないという不都合があった。
本発明は、上記のような不都合を解消するためになされたものであり、中空スラブ管を型枠の上方の空間に支持固定するための支持具に関し、設置後の錆の発生を防止し得るとともに、型枠への設置固定を簡単かつ確実になし得る支持具を提供することを目的とする。
【０００６】
【課題を解決するための手段】
本発明は、中空スラブ管を型枠の上方の所定の空間位置に支持固定するための支持具であって、下方に膨らむ弧状部を有する受け部と、該受け部のほぼ中央の下側に設けられた、型枠に対する取付部とを備え、取付部は、上部が受け部に固着され下部外面にネジ部が形成された支持棒と、支持棒の下方に連結部材を介して同心的に連結されるネジ棒と、ネジ棒の下端から螺着されるナットとからなり、連結部材は、少なくともその本体がモルタルや合成樹脂等の非発錆材製で、型枠の上面に当接可能な底部を有し、かつ支持棒のネジ部及びネジ棒の上部がそれぞれ螺合する雌ネジ部を有する筒状体に形成され、ネジ棒は、型枠に形成した透孔を上方から挿通可能な棒状体に形成され、かつ下端に、ネジ棒を回転させて連結部材から離脱させるための工具受け部が形成されている、中空スラブ管の支持具である。
【０００７】
本発明において、ネジ棒の工具受け部は、ネジ棒の下端中心に形成された、レンチが嵌入される多角形状の穴部であるものが好ましい。
また、受け部の両側に、下端が水平方向に屈曲されたほぼ逆Ｕ字形の脚部が固着されており、該脚部の少なくとも下端には防錆処理が施されているものが好ましい。また、連結部材の雌ネジ部は、金属製の筒状部材として形成され、連結部材本体にインサート成形されており、かつ該筒状部材の下端は連結部材の底部よりも上方に位置しているものが好ましい。
【０００８】
【発明の実施の形態】
本発明の実施の形態について実施例を挙げて図面に基いて説明するが、本発明は以下に記載の実施例に限定されるものではない。図１は本発明の実施例に係る支持具１を示すもので（ａ）は平面図、（ｂ）は正面図、（ｃ）は右側面図である。図２は、取付部２０の部分拡大図である。
【０００９】
図１に示すとおり、中空スラブ管を型枠の上方の空間に支持固定するための支持具１は、下方に膨らむ弧状部１１を有する受け部１０と、該受け部１０のほぼ中央の下側に設けられた、型枠に対する取付部２０とを備えている。
受け部１０は、支持具１の上に載せられる中空スラブ管の外周面を受けるための部分である。受け部１０の両端には下方に屈曲された掛止部１２が設けられ、後述するように中空スラブ管を受け部１０に載せてワイヤで固定する際にワイヤがこの掛止部１２に掛けられるようになっている。
また、受け部１０の弧状部１１を挟んでその両側には、下端が水平方向に屈曲されたほぼ逆Ｕ字形の脚部３０が溶接等の適宜手段で固着されており、脚部３０の少なくとも下端（例えば、図１（ｂ）のＢに示す範囲）には防錆処理が施されている。防錆処理は、脚部３０が通常、鋼材等の金属材料で形成されるので、施工完了後に該脚部３０における錆の発生を防ぐためになされるものであり、例えば、防錆塗料等の塗料で表面をコートすることにより行なわれる。
【００１０】
図１，２に示すように、取付部２０は、上部が受け部１０に固着された支持棒２１と、支持棒２１の下方に連結部材２３を介して同心的に連結されるネジ棒２５と、ネジ棒２５の下端から螺着されるナット２７とからなる。
支持棒２１は、上部が受け部１０に溶接等の適宜手段で固着され、下端に向けて垂下して形成されており、下部外面にはネジ（雄ネジ）部２１ａが形成されている。
ネジ棒２５は、型枠に形成した透孔を上方から挿通可能な１本の直線状の棒状体として形成されており、少なくとも上下各端部近傍にはネジ（雄ネジ）部２５ａ，２５ｂが形成されている。ネジ部２５ａで連結部材２３と連結され、ネジ２５ｂにはナット２７が螺着される。
また、ネジ棒２５は、その下端に、ネジ棒２５を回転させて連結部材２３から離脱させるための工具受け部２５ｃが形成されている。工具受け部２５ｃは、例えば、図２及び図３（ａ）（ｂ）に示すとおり、ネジ棒２５の下端中心に形成され、レンチ（六角レンチ等）が嵌入される穴部（多角形状等）として構成される。
もっとも、ネジ棒２５の工具受け部２５ｃは、上記のような孔部に限られるものではなく、例えば、図３（ｃ）（ｄ）に示すとおり、ネジ棒２５の下端を板状に形成したり、あるいは多角形状等の角頭部に形成し、レンチ又はスパナ等の工具により被嵌又は挟持して回転させることができるようにしてもよい。
【００１１】
連結部材２３は、その本体はモルタルや合成樹脂等の非発錆材製で、後述するように型枠の上面に当接可能な底部２３ａを有し、また、支持棒２１のネジ部２１ａとネジ棒２５の上部（ネジ部２５ａ）とが螺合する雌ネジ部２４を内面に有する筒状体に形成されている。
本実施例では、連結部材２３の上端部及び下端部には、外周フランジ部２３ｂ，２３ｃが形成されている。上部外周フランジ部２３ｂは、連結部材２３をスラブ内に固定、埋設するために形成されるものであり、下部外周フランジ部２３ｃは、型枠への取付けを確実にできるようにするために形成されるものである。
また、連結部材２３の雌ネジ部２４は、金属製の筒状部材として形成され、連結部材２３本体にインサート成形されている。該筒状部材の下端は連結部材２３の底部２３ａよりも上方に位置しているものが好ましい。施工完了後に金属製の筒状部材がコンクリート面に露出して錆の発生を生じることを防ぐためである。
【００１２】
次に、上記実施例に係る支持具１の使用方法を図４〜６を参照して説明する。図４は、支持具１の型枠３への取付開始状態を示す。取付開始状態において、支持具１の取付部２０は、支持棒２１とネジ棒２５とが連結部材２３を介して同心的に連結された状態（図１に示す状態）であり、ナット２７は外されている。先ず、図４（ａ）に示すように、床面を形成するための型枠３に穿設した透孔４に、上方から支持具１のネジ棒２５を挿通させて支持具１を型枠３上に設置する。ネジ棒２５は、型枠３に形成した透孔４を上方から挿通可能な棒状体に形成されているため、このような作業が可能であり、また、この作業は、型枠３の上方からネジ棒２５を型枠３の透孔４に挿通させるだけでよいため、支持具１を型枠３の所定位置に素早くセットすることができ、いたって簡単である。
そして、図４（ｂ）に示すように、型枠３の下方に突出したネジ棒２５の下端から（必要であればワッシャーを介して）ナット２７を螺着して支持具１を型枠３に固定する。このとき、支持具１の取付部２０を構成する連結部材２３の底部２３ａが型枠３上に当接するとともに、受け部１０の両側に固着された脚部３０が型枠３上に載って支持具１全体を支える状態となるため、支持具１がぐらつくことがない。連結部材２３の上下方向の位置は、連結部材２３を適宜回転させることにより調整できる。
【００１３】
次いで、図５に示すように、受け部１０の弧状部１１に中空スラブ管４０を載せ、ワイヤ４５を掛止部１２に掛けて中空スラブ管４０に巻き付け、中空スラブ管４０を支持具１に固定する。このとき、支持具１は、その取付部２０を構成する連結部材２３の底部２３ａと、受け部１０の両側に固着された脚部３０とによって安定した状態で型枠３上に固定されているので、中空スラブ管４０の支持具１への固定も安定した状態で確実に行なうことができる。
【００１４】
支持具１に中空スラブ管４０を固定した後、コンクリート５０を打設し、中空スラブ管４０がコンクリート内に埋設された状態で固化させる。固化後、ネジ棒２５に形成された工具受け部２５ｃにレンチ等の工具を当て、ネジ棒２５を回転させて連結部材２３からネジ棒２５を離脱させる（図６）。ナット２７も同時に離脱される。さらに、型枠３を除去する。
そして、ネジ棒２５を離脱させることにより形成された連結部材２３の凹部（雌ネジ部２４の内側）には、モルタルその他の適宜充填材６０を充填するか、合成樹脂製のネジ栓を螺着する等して塞ぐ。連結部材２３の連結部材２３の底部２３ａは、コンクリート５０面に露出した状態となっても、連結部材２３本体は合成樹脂製であり、連結部材２３の凹部は上記のように塞がれるため、錆の発生が防ぐことができる。
なお、コンクリート固化後、連結部材２３をコンクリート内に残さずに、これを離脱させ、その離脱させた後に形成される凹部に適宜コーキング材を充填して凹部を塞ぐことも可能である。この場合は、例えば、連結部材２３に上部外周フランジ部２３ｂを設けず、かつ、雌ネジ部２４が形成された金属製の筒状部材を多角形状に形成するとともにこの筒状部材の外周と連結部材２３本体との間に、下方から工具が嵌入可能な空隙を設けておけば、筒状部材の外周にレンチ等の工具をあてがって回転させることにより、連結部材２３をコンクリート５０面から離脱させることができる。
【００１５】
【発明の効果】
請求項１に記載の発明によれば、型枠を挿通した取付部のネジ棒は離脱され、離脱後の凹部は塞がれるので、該部からの錆の発生を防止し得るとともに、ネジ棒は型枠に形成した透孔を上方から挿通可能な棒状体に形成されているため、支持具の型枠への設置固定に際し、型枠の上方からネジ棒を型枠の透孔に挿通させてナットで固定する作業によるから、従来のものに比べて支持具を型枠の所定位置に素早くかつ確実にセットすることができる。
請求項２に記載の発明によれば、ネジ棒の工具受け部は、ネジ棒の下端中心に形成された、レンチが嵌入される穴部であるため、ネジ棒を離脱させる作業は簡単かつ確実である。
請求項３に記載の発明によれば、取付部のほか、受け部の両側に、下端が水平方向に屈曲されたほぼ逆Ｕ字形の脚部が固着されているため、支持具の型枠への設置固定に際し、脚部が型枠上に載って支持具全体を支えることができるため、支持具がぐらつくことがなく、また、受け部に中空スラブ管を載せて支持具に固定する際も、安定した状態で確実に行なうことができる。また、脚部の少なくとも下端には防錆処理が施されているため、施工完了後にコンクリート面から脚部の下端が露出しても、錆の発生を防ぐことができる。
請求項４に記載の発明によれば、連結部材の雌ネジ部は、金属製の筒状部材に形成され、連結部材本体にインサート成形されているため、連結が確実に行なわれ、筒状部材の下端は連結部材の底部よりも上方に位置しているため、施工完了後に、筒状部材がコンクリート面に露出して錆の発生を生じるのを防ぐことができる。
【図面の簡単な説明】
【図１】支持具１を示すもので（ａ）は平面図、（ｂ）は正面図、（ｃ）は右側面図である。
【図２】取付部２０の部分拡大図である。
【図３】ネジ棒２５を例示するもので、（ａ）は一部断面で示す正面図、（ｂ）は（ａ）の底面図、（ｃ）は一部断面で示す正面図、（ｄ）は（ｃ）の底面図である。
【図４】支持具１の使用方法の説明図である。
【図５】支持具１の使用方法の説明図である。
【図６】支持具１の使用方法の説明図である。
【符号の説明】
１  支持具
３  型枠
４  透孔
１０  受け部
１１  弧状部
２０  取付部
２１  支持棒
２３  連結部材
２３ａ  底部
２４  雌ネジ部（金属製の筒状部材）
２５  ネジ棒
２５ｃ  工具受け部
２７  ナット
３０  脚部
【図１】
2004183456.tif 000003
【図２】
2004183456.tif 000004
【図３】
2004183456.tif 000005
【図４】
2004183456.tif 000006
【図５】
2004183456.tif 000007
【図６】
2004183456.tif 000008